(57)【要約】【課題】  多様な観視環境に対応可能な操作を各観視者に提供可能な映像表示装置を提供すること。【解決手段】  映像表示装置１は、少なくとも２人の観視者向けに単一コンテンツを一画面表示するか、それら観視者毎に異なる２つのコンテンツを二画面表示する表示部１２と、一画面表示の間、各観視者が各自向けのボタンを操作すると、表示部１２に現在表示されている単一コンテンツ向けの映像処理の指示を与え、二画面表示の間、各観視者が各自向けのボタンを操作すると、表示部に現在表示されている２つのコンテンツのうち、ボタン操作を行った観視者向けのコンテンツに限定された映像処理の指示を与える制御部１４とを備える。【選択図】  図１
2009017163.tif 000002
【特許請求の範囲】
【請求項１】
少なくとも２人の観視者向けに単一コンテンツを一画面表示するか、それら観視者毎に異なる２つのコンテンツを二画面表示する表示部と、
一画面表示の間、各前記観視者が各自向けのボタンを操作すると、前記表示部に現在表示されている単一コンテンツ向けの映像処理の指示を与え、二画面表示の間、各観視者が各自向けのボタンを操作すると、前記表示部に現在表示されている２つのコンテンツのうち、ボタン操作を行った観視者向けのコンテンツに限定された映像処理の指示を与える制御部とを備える、映像表示装置。
【請求項２】
前記映像処理は、画面サイズの変更及び／又は前記表示部で表示すべきコンテンツの変更である、請求項１に記載の映像表示装置。
【請求項３】
前記映像処理は画面サイズの変更であって、
制御部は、一画面表示中、第１種類数の画面サイズから選ばれた１つに変更するよう指示し、二画面表示中、第２種類数の画面サイズから選ばれた１つに変更するよう指示し、
前記第１種類数は前記第２種類数よりも多い、請求項１に記載の映像表示装置。
【請求項４】
前記第１観視者及び前記第２観視者のそれぞれが各自向けのボタンは、前記第１観視者及び前記第２観視者が共用するリモートコントローラに配置される、請求項１に記載の映像表示装置。
【発明の詳細な説明】
【技術分野】
【０００１】
本発明は、映像表示装置に関し、より特定的には、表示アスペクト比が１６：９よりも大きな画面を有する映像表示装置に関する。
【背景技術】
【０００２】
近年、上記のような映像表示装置が開発されている。この種の映像表示装置は、車両の後部座席の観視者が映像を楽しむような用途に期待されている。
【０００３】
この種の映像表示装置は、横方向に長いため、後部座席に着座する複数の観視者に単一の映像を表示したり、複数の観視者にそれぞれ別個の複数の映像を合成表示したりすることができる（例えば、下記の非特許文献１を参照）。
【非特許文献１】"車載向けの横長ＩＰＳ液晶モジュールを開発"、［online］、２００６年７月２５日、株式会社日立ディスプレイズ、［２００７年６月２６日検索］、インターネット＜URL :http://www.hitachi-displays.com/news/2052306_16927.html＞
【発明の開示】
【発明が解決しようとする課題】
【０００４】
この種の映像表示装置では、家庭用テレビジョン受像機のような映像表示装置とは異なり、複数の観視者に単一の映像を表示したり、複数の観視者にそれぞれ別個の複数の映像を合成表示したりする。つまり、この種の映像表示装置は多様な観視環境で用いられる。よって、観視環境に応じた操作を準備する必要がある。
【０００５】
それ故に、本発明の目的は、多様な観視環境に対応可能な操作を各観視者に提供可能な映像表示装置を提供することである。
【課題を解決するための手段】
【０００６】
上記目的を達成するために、本発明の一局面に係る映像表示装置は、少なくとも２人の観視者向けに単一コンテンツを一画面表示するか、それら観視者毎に異なる２つのコンテンツを二画面表示する表示部と、一画面表示の間、各観視者が各自向けのボタンを操作すると、表示部に現在表示されている単一コンテンツ向けの映像処理の指示を与え、二画面表示の間、各観視者が各自向けのボタンを操作すると、表示部に現在表示されている２つのコンテンツのうち、ボタン操作を行った観視者向けのコンテンツに限定された映像処理の指示を与える制御部とを備える。
【発明の効果】
【０００７】
以上説明したように、本局面によれば、制御部は、一画面表示中、全観視者向けのボタン操作に応答して、表示中の単一コンテンツに対する映像処理を指示する。一画面表示に対しては、複数の観視者に平等に画面操作する権利が与えられる。それに対し、制御部は、二画面表示中、各観視者向けのボタン操作に応答して、現在表示中の２つのコンテンツのうち、ボタン操作を行った観視者向けのコンテンツに限定された映像処理の指示を与える。つまり、二画面表示中には、自身に割り当てられた画面に対してのみ、観視者は画面操作する権利が与えられる。これによって、多様な観視環境に対応可能な操作を各観視者に提供可能な映像表示装置１を提供することが可能となる。
【発明を実施するための最良の形態】
【０００８】
以下、本発明の実施の形態の映像表示装置ついて、図面を用いて説明する。
【０００９】
図１は、本発明の一実施形態に係る映像表示装置１の構成を示すブロック図である。なお、図１には、映像表示装置１と協働するリモートコントローラ（以下、リモコンという）２も示されている。
【００１０】
図１において、映像表示装置１は、１つの入力映像信号を１画面表示するか、２つの入力映像信号を２画面表示するかを、リモコン２からの操作命令に従って切り換える。
【００１１】
また、リモコン２は、映像処理装置１を離れた位置から観視者が操作することが可能なリモコンである。なお、本実施の形態では、リモコン２により映像表示装置１は遠隔から操作されるとして説明するが、映像表示装置１の操作は、映像表示装置１に付随したタッチパネルでも、ＥＳＷ（エスカッションスイッチ）でもよい。タッチパネルの場合は、以後の説明におけるボタンを、後述の表示部１２の画面上に合成表示されるソフトウェアスイッチとして、また、ＥＳＷスイッチであれば、映像表示装置１の外装体に配置されるハードウェアスイッチとして読み替えることで、本映像表示装置１を当事者は容易に実施可能である。
【００１２】
次に、リモコン２の詳細な構成について説明する。リモコン２は、観視者による操作を操作命令に変換する操作部２１と、操作部２１で生成された操作命令を、赤外線信号などの無線信号などに変換して、映像表示装置１に送信する送信部２２とを備えている。
【００１３】
次に、映像表示装置１の構成について説明する。映像表示装置１は、映像処理部１１と、表示部１２と、受信部１３と、制御部１４とを備えている。
【００１４】
映像処理部１１は典型的にはハードウェア回路で構成され、映像処理部１１には、複数の入力端子（図示は４つ）を介して、複数の映像信号（図示は４つの映像信号）が入力される。映像処理部１１は、複数の入力映像信号から、１つ又は２つを選択して、選択した映像信号に対して映像伸長及び／又は合成処理を行って、処理後の映像信号を表示部１２に出力する。
【００１５】
表示部１２は、例えば、液晶ディスプレイから構成される。具体的には、表示部１２は、１６：９よりも大きい表示アスペクト比を有する。さらに具体的には、水平方向に１６００ドット分、垂直方向に４８０ドット分の正方画素を表示部１２は有しており、横長の形をしているものとして説明する。このような表示部１２は、映像処理部１１の出力映像信号を表示する。
【００１６】
受信部１３は、典型的にはハードウェア回路で構成され、リモコン２からの無線信号を受信して、操作命令を取り出し、制御部１４に渡す。
【００１７】
制御部１４は、ＣＰＵ１４１、フラッシュＲＯＭ１４２及びＲＡＭ１４３で構成され、ＣＰＵ１４１がフラッシュＲＯＭ１４２に記憶された制御プログラムをＲＡＭ１４３を用いて実行することで、受信部１３から受け取った操作命令に従って、映像処理部１１に対し、選択すべき映像信号の指示（制御命令）と、伸長率及び／又は合成方法の指示（制御命令）を与える。
【００１８】
具体的には、映像表示装置１には、複数の映像信号が複数の外部機器から入力され、映像処理部１１に供給されている。外部機器からの映像信号とは、例えば、ＤＶＤ（Ｄｉｇｉｔａｌ  Ｖｅｒｓａｔｉｌｅ  Ｄｉｓｃ）のような記憶媒体に記憶されたもの、地上デジタル放送又は衛星デジタル放送の放送機器からのもの、若しくはカメラ又はカーナビゲーションシステムなどからのものがある。なお、以後、これらの映像信号をコンテンツといい、図１の例では、４つのコンテンツＡ、Ｂ、Ｃ及びＤが映像表示装置１に供給されているものとする。
【００１９】
なお、本映像表示装置１は二画面表示が可能だが、もし観視者が放送機器からの出力映像信号を２チャンネル分観視したい場合には、二台の放送機器（チューナー）のそれぞれから１チャンネル分の映像信号を映像表示装置１に、別個のコンテンツとして与える必要がある。
【００２０】
本映像表示装置１は、入力映像信号を水平方向及び垂直方向に伸張して表示可能で、本映像表示装置１には、一画面向けに各方向への伸張率の設定値が複数予め用意され、さらに、二画面表示用に両方向への伸長率の設定値が複数予め用意されている。以後、この設定値を画面サイズと呼ぶことにする。観視者は操作部２１を操作することにより、この画面サイズを変更する。
【００２１】
ここで、一画面の場合における、画面サイズの種類と、各画面サイズの水平方向及び垂直方向の伸張率とを表１に示し、二画面の場合におけるものを表２に示す。
【００２２】
【表１】
2009017163.tif 000003
【００２３】
【表２】
2009017163.tif 000004
【００２４】
上記表１に示すように、本映像表示装置１には、一画面の場合における画面サイズとして、ノーマル、ワイド、スーパーワイド、ウルトラワイド、ウルトラズーム、スーパーズーム及びズームが用意されている。ノーマルについては、水平方向伸長率は１．００倍であり、垂直方向伸長率は１．００倍である。以下、ワイドの水平方向伸長率及び垂直方向伸長率はそれぞれ１．３３倍及び１．００倍であり、スーパーワイドの水平方向伸長率及び垂直方向伸長率はそれぞれ２．００倍及び１．００倍であり、ウルトラワイドの水平方向伸長率及び垂直方向伸長率はそれぞれ２．５０倍及び１．００倍であり、ウルトラズームの水平方向伸長率及び垂直方向伸長率はそれぞれ２．５０倍及び１．３３倍であり、スーパーズームの水平方向伸長率及び垂直方向伸長率はそれぞれ２．００倍及び１．３３倍であり、ズームの水平方向伸長率及び垂直方向伸長率はそれぞれ１．３３倍及び１．３３倍である。
【００２５】
また、上記表２に示すように、本映像表示装置１には、二画面の場合における画面サイズとして、ノーマル、ワイド及びズームが用意されている。ノーマルについては、水平方向伸長率は１．００倍であり、垂直方向伸長率は１．００倍である。以下、ワイドの水平方向伸長率及び垂直方向伸長率はそれぞれ１．２５倍及び１．００倍であり、ズームの水平方向伸長率及び垂直方向伸長率はそれぞれ１．２５倍及び１．３３倍である。なお、ワイド及びズームの水平方向伸長率は１．２５倍を１．３３倍に設定されていても構わない。ただし、この場合、１．３３倍で水平方向に伸長した映像は、左右両側ともに２５ドットずつカットして、水平方向に８００画素に調整されても構わない。
【００２６】
ここで、映像信号の映像アスペクト比には様々な種類がある。映像アスペクト比の典型例は、４：３、１６：９ビスタ（レターボックス）、１２：５シネマスコープ（レターボックス）、１６：９ビスタ（スクイーズ）、１２：５（スクイーズ）である。ここで、図２は、入力映像信号のアスペクト比の種類ごとに、各画面サイズで表示部１２に一画面表示した場合の見え方を示す図であり、図３は、それに二画面表示した場合の見え方を示す図である。
【００２７】
なお、４：３又は１６：９ビスタ（スクイーズ）の入力映像信号を、ウルトラズーム、スーパーズーム及びズームにすると、画面サイズ変更後には、元々の映像の端部分及び下端部分がカットされる。この点を考慮して、観視者は画面サイズを選択する必要がある。ただし、上記以外の入力映像信号のアスペクト比と、変更後のアスペクト比とが上記の組み合わせでなければ、カットされるのは元々の映像に付加された黒帯部分になる。よって、この場合には、観視者は、元々の映像部分のカットを気にせず画面サイズを選択すればよい。
【００２８】
次に、図１におけるリモコン２の操作部２１について説明する。図４は、操作部２１の一例としてのボタン群を示す図である。図４において、操作部２１は、左用二画面ＯＮ／ＯＦＦボタン２１１Ｌ、右用二画面ＯＮ／ＯＦＦボタン２１１Ｒを含む。両二画面ＯＮ／ＯＦＦボタン２１１Ｌ及び２１１Ｒともに、二画面表示をＯＮにするか（つまり、二画面にするか）、二画面表示をＯＦＦにするか（つまり、一画面にするか）を選択する操作ボタンである。ただし、左用二画面ＯＮ／ＯＦＦボタン２１１Ｌは、二画面のうち左側の画面を遠隔操作するために用いられ、右用二画面ＯＮ／ＯＦＦボタン２１１Ｒは、右側を遠隔操作するために用いられる。
【００２９】
操作部２１はさらに、左用コンテンツボタン２１２Ｌと、右用コンテンツボタン２１２Ｒとを含む。両コンテンツボタン２１２Ｌ及び２１２Ｒはともに、一画面表示の際には、本映像表示装置１に入力される複数の入力映像信号から１つを選択する操作ボタンである。ただし、二画面表示の際には、左用コンテンツボタン２１２Ｌは、二画面のうち左側の画面の入力映像を切り換えるために用いられ、右用コンテンツボタン２１２Ｒは、右側の画面の入力映像の切り換えに用いられる。
【００３０】
操作部２１はさらに、左用画面サイズボタン２１３Ｌと、右用画面サイズボタン２１３Ｒとを含む。両画面サイズボタン２１３Ｌ及び２１３Ｒは、一画面表示時の表示コンテンツの画面サイズ（表１を参照）を選択する操作ボタンである。左用画面サイズボタン２１３Ｌは、二画面表示時には、左側の画面に表示されたコンテンツの画面サイズ（表２を参照）を選択する操作ボタンであり、右用画面サイズボタン２１３Ｒは、右側画面の画面サイズを選択する操作ボタンである。
【００３１】
上記操作部２１に含まれる左用二画面ＯＮ／ＯＦＦボタン２１１Ｌ、左用コンテンツボタン２１２Ｌ及び左用画面サイズボタン２１３Ｌは、典型的には、表示部１２の左側の画面を観視する観視者により操作され、残りのボタン２１１Ｒ、２１２Ｒ及び２１３Ｒは、典型的には、右側の画面を観視する別の観視者により操作される。
【００３２】
次に、映像表示装置１の動作について説明する。映像処理部１１は、制御部１４からの制御命令がない限り、常時、同じ信号処理を入力映像信号に対して行い、処理済みの映像信号を表示部１２に供給する。表示部１２は、映像処理部１１からの映像信号を表示する。
【００３３】
制御部１４には、リアルタイムＯＳが実装されており、制御部１４は、複数の状態変数を持ち、状態変数の値に応じて、映像処理部１１に対して、映像信号の垂直同期信号のタイミングで発生する割り込み処理により、周期的に制御命令を発行している。リモコン２の操作部２１を観視者が操作することによって、イベントが発生し、イベント処理内容として変化させる必要のある状態変数の値が変化する。
【００３４】
イベント処理内容として変化のなかった状態変数は値が変わらないまま、次の垂直同期信号のタイミングで、映像処理部１１に制御命令として発行される。
【００３５】
制御部１４は、制御命令を送る前に、制御開始命令を送った後、複数の制御命令を映像処理部１１に送り、制御終了命令を送る。
【００３６】
映像処理部１１は、図示しないメモリに入力映像信号を溜め込み、制御部１４から受け取った制御命令を、制御開始命令から制御終了命令までの制御命令をまとめて処理し、制御終了命令受信後の次の垂直同期信号のタイミングで反映させ、表示部１２に映像信号を送る。
【００３７】
これによって、観視者の操作により信号処理を変化させても、同期の乱れのない映像が表示部１２に表示される。
【００３８】
なお、垂直同期信号のタイミングから、次の垂直同期信号のタイミングまでの間に、複数のイベントが発生し、同じ状態変数を変更するような状況が発生した場合は、最後に行われたイベントによる状態変数の変更が生かされる。
【００３９】
以後、この垂直同期信号のタイミングで行われる処理は、本実施の形態では興味の無いところであるため、その説明を割愛し、制御部１４の状態変数が変化したことで、表示部１２の表示が変更されるものとして説明する。
【００４０】
次に、観視者の操作に対する動作を、図面を用いて説明する。
【００４１】
まず、観視者が図１におけるリモコン２の操作部２１を操作、すなわち、図４におけるリモコン２のいずれかのボタンを映像表示装置１に向けて押下すると、図１におけるリモコン２の操作部２１から、押下されたボタンに対応した命令コードが発生し、送信部２２
により映像表示装置１に送信される。
【００４２】
映像表示装置１において、受信部１３が、リモコン２からの命令を受信し、命令コードを取り出して制御部１４に伝える。
【００４３】
制御部１４は、現在の状態に応じて受けた命令コードをイベントとして処理し、必要な制御命令を映像処理部１１に伝える。
【００４４】
映像処理部１１は、入力映像信号に対する映像信号処理を、制御部１４からの制御命令に基づいた信号処理に変化させ、表示部１２に処理済みの映像信号を送る。
【００４５】
このようにして、観視者の操作により、表示部１２の表示状態を変化させることができる。
【００４６】
本映像表示装置１は、リモコン２を観視者が操作することにより、一画面と二画面表示の間の切り替えと、入力映像信号（以後コンテンツ）の切り替えと、画面サイズの切り替えとを行うことができる。
【００４７】
以下の表３に、制御部１４が持つ状態変数名と、とりうる値とを示す。表３の網掛け部分は、映像表示装置１の立ち上げ時の初期値である。
【００４８】
【表３】
2009017163.tif 000005
【００４９】
マルチ画面モードは、表示部１２の画面を一画面にするか、二画面にするかを表す状態変数であり、とりうる値は、一画面と二画面である。
【００５０】
一画面コンテンツは一画面表示時の入力映像コンテンツを表す状態変数で、左画面コンテンツは二画面表示時の左画面の入力映像コンテンツを表す状態変数で、右画面コンテンツは二画面表示時の入力映像コンテンツを表す右画面の状態変数である。一画面コンテンツ、左画面コンテンツ、右画面コンテンツのとりうる値は、入力映像コンテンツの種類と同じで、Ａ、Ｂ、Ｃ及びＤとなる。
【００５１】
また、一画面サイズは、一画面表示時の画面サイズを表す状態変数であり、表１に示した、ノーマル、ワイド、スーパーワイド、ウルトラワイド、ウルトラズーム、スーパーズーム、ズームの７つである。
【００５２】
左画面サイズは、二画面表示時の左画面の画面サイズを表す状態変数で、右画面サイズは、二画面表示時の右画面の画面サイズを表す状態変数である。左画面サイズ、右画面サイズのとりうる値は、表２に示した、ノーマル、ワイド及びズームの３つである。
【００５３】
次に、各操作ボタンを押下した時の、画面遷移と制御フローを図を用いて説明する。
【００５４】
図５は、リモコン２の左用二画面ＯＮ／ＯＦＦボタン２１１Ｌを押下した場合の映像表示装置１の動作を示すフローチャートであり、図６は、左用二画面ＯＮ／ＯＦＦボタン２１１Ｌを押下する前の状態が一画面の場合の画面遷移を示す模式図であり、図７は、左用二画面ＯＮ／ＯＦＦボタン２１１Ｌを押下する前の状態が二画面の場合の画面遷移を示す模式図である。
【００５５】
左用二画面ＯＮ／ＯＦＦボタン２１１Ｌを観視者により押下されると、図５に示すように、ステップＳ５０１で、制御部１４は、現在設定されているマルチ画面モードの状態変数が一画面であるか、二画面であるかを判定する。
【００５６】
ステップＳ５０１で一画面と判定されると、処理はステップＳ５０２に進み、マルチ画面モードの状態変数が二画面に、左画面コンテンツの状態変数と、右画面コンテンツの状態変数が、一画面コンテンツの状態変数の値に変更される。
【００５７】
一方、ステップＳ５０１で二画面と判定されると、処理はステップＳ５０３に進み、マルチ画面モードの状態変数が一画面に、一画面コンテンツの状態変数が右画面コンテンツの値に変更される。
【００５８】
図５に示す処理によれば、一画面の場合の画面遷移は、図６に示すように、一画面から二画面に分割されて、遷移前の一画面コンテンツが、左画面及び右画面の両方に表示される。図６の例では、遷移前の一画面コンテンツがコンテンツＡであるから（図６の（ａ）を参照）、切替後には表示部１２の左画面も右画面もコンテンツＡが表示される（図６の（ｂ）を参照）。
【００５９】
一方、ステップＳ５０１で二画面と判定された場合の画面遷移は、図７に示すように、表示部１２は二画面から一画面に切り替わり、遷移前の右画面コンテンツが一画面で表示される。図７の例では、遷移前の右画面にはコンテンツＢが表示されているので（図７の（ａ）を参照）、切替後はコンテンツＢが一画面で表示される（図７の（ｂ）を参照）。
【００６０】
図８は、リモコン２の右用二画面ＯＮ／ＯＦＦボタン２１１Ｒを押下した場合の映像表示装置１の動作を示すフローチャートであり、図９は、右用二画面ＯＮ／ＯＦＦボタン２１１Ｒを押下する前の状態が一画面の場合の画面遷移を示す図であり、図１０は、右用二画面ＯＮ／ＯＦＦボタン２１１Ｒが押下される前の状態が二画面の場合の画面遷移を示す模式図である。
【００６１】
右用二画面ＯＮ／ＯＦＦボタン２１１Ｒが観視者により押下されると、図８に示すように、ステップＳ８０１で、マルチ画面モードが一画面であるか、二画面であるかが判定される。
【００６２】
ステップＳ８０１で一画面と判定されると、処理はステップＳ８０２に進み、マルチ画面モードの状態変数が二画面に、左画面コンテンツ及び右画面コンテンツの状態変数がそれぞれ、一画面コンテンツの値に変更される。
【００６３】
一方、ステップＳ８０１で二画面と判定されると、処理はステップＳ８０３に進み、マルチ画面モードの状態変数が一画面に、一画面コンテンツの状態変数が、左画面コンテンツの状態変数の値に変更される。
【００６４】
図８に示す処理によれば、ステップＳ８０１で一画面と判定された場合、画面遷移は、図９に示すように、表示部１２が一画面から二画面に分割されて、切替前の一画面コンテンツが、左画面及び右画面の両方に表示される。図９の例では、遷移前には一画面にコンテンツＡが表示されているので（図９の（ａ）を参照）、遷移後は左画面も右画面にもコンテンツＡが表示される（図９の（ｂ）を参照）。
【００６５】
一方、ステップＳ８０１で二画面と判定された場合の画面遷移は、図１０に示すように、表示部１２は二画面から一画面に切り替わり、遷移前の左画面コンテンツが一画面で表示される。図１０の例では、遷移前の左画面にはコンテンツＡが表示されているので（図１０の（ａ）を参照）、遷移後はコンテンツＡが一画面で表示される（図１０の（ｂ）を参照）。
【００６６】
図１１は、リモコン２の左用コンテンツボタン２１２Ｌを押下した場合の映像表示装置１の動作を示すフローチャートであり、図１２は、左用コンテンツボタン２１２Ｌを押下する前の状態が一画面の場合の画面遷移を示す模式図であり、図１３は、左用コンテンツボタン２１２Ｌを押下する前の状態が二画面の場合の画面遷移を示す模式図である。
【００６７】
左用コンテンツボタン２１２Ｌが観視者により押下されると、図１１に示すように、ステップＳ１１０１で、制御部１４は、現在設定されているマルチ画面モードの状態変数が一画面であるか、二画面であるかを判定する。
【００６８】
ステップＳ１１０１で一画面と判定されると、処理はステップＳ１１０２に進み、制御部１４は、一画面コンテンツの状態変数を、次のコンテンツを示す値に変更する。次のコンテンツへの変更は、図１４に示すように、変更前のコンテンツがコンテンツＡの場合はコンテンツＢに、コンテンツＢの場合はコンテンツＣに、コンテンツＣの場合はコンテンツＤにと、順次変更され、コンテンツＤの場合は、コンテンツＡに戻る。
【００６９】
なお、次のコンテンツへの変更は、図１５に示すように、コンテンツＤから、コンテンツＡに切り替わる前に、映像信号を何も表示しないＯＦＦを設けても良い。すなわち、コンテンツＤの場合は、ＯＦＦに変更され、ＯＦＦの場合は、コンテンツＡに戻るように変更される。この場合、状態変数のとりうる値は、前出の表３ではなく、以下の表４に示すとおりになる。
【００７０】
【表４】
2009017163.tif 000006
【００７１】
再度図１１を参照する。上記ステップＳ１１０１で二画面と判定されると、処理はステップＳ１１０３に進み、左画面コンテンツの状態変数が次のコンテンツに変更される。今回の次のコンテンツへの変更は、図１４又は図１５に示した通りである。
【００７２】
図１１の処理によれば、ステップＳ１１０１で一画面と判定されると、画面遷移は、図１２に示すように、一画面のまま、遷移前に表示されていたコンテンツが次のコンテンツに変更して表示される。図１２の例では、遷移前に表示されていたのはコンテンツＡであるから（図１２の（ａ）を参照）、遷移後にはコンテンツＢが表示される（図１２の（ｂ）を参照）。
【００７３】
また、ステップＳ１１０１で二画面と判定されると、画面遷移は、図１３に示すように、二画面のまま、遷移前の左画面に表示されていたコンテンツが次のコンテンツに変更して表示され、右画面の表示コンテンツは変化しない。図１３の例では、遷移前の左画面にはコンテンツＡが表示されるので（図１３の（ａ）を参照）、遷移後にはコンテンツＢが左画面に表示され、右画面の表示コンテンツはコンテンツＡのまま変化しない（図１３の（ｂ）を参照）。
【００７４】
図１６は、リモコン２の右用コンテンツボタン２１２Ｒを押下した場合の映像表示装置１の動作を示すフローチャートであり、図１７は、右用コンテンツボタン２１２Ｒを押下する前の状態が一画面の場合の画面遷移を示す模式図であり、図１８は、右用コンテンツボタン２１２Ｒを押下する前の状態が二画面の場合の画面遷移を示す模式図である。
【００７５】
左用コンテンツボタン２１２Ｒが観視者により押下されると、図１６に示すように、ステップＳ１６０１で、制御部１４は、現在設定されているマルチ画面モードの状態変数が一画面であるか、二画面であるかを判定する。
【００７６】
ステップＳ１６０１で一画面と判定すると、処理はステップＳ１６０２に進み、一画面コンテンツの状態変数が次のコンテンツに変更される。次のコンテンツへの変更は、図１４又は図１５に示した通りである。
【００７７】
一方、ステップＳ１６０１で二画面と判定されると、処理はステップＳ１６０３に進み、右画面コンテンツの状態変数が、図１４又は図１５に示した手法で次のコンテンツに変更される。
【００７８】
図１６の処理によれば、ステップＳ１６０１で一画面と判定されると、画面遷移は、図１７に示すように、一画面のまま、遷移前の一画面に表示されていたコンテンツが次のコンテンツに変更して表示される。図１７の例では、遷移前に一画面表示されていたのはコンテンツＡであるから（図１７の（ａ）を参照）、遷移後にはコンテンツＢが表示される（図１７の（ｂ）を参照）。
【００７９】
それに対し、ステップＳ１６０１で二画面と判定されると、画面遷移は、図１８に示すように、二画面のまま、遷移前に右画面に表示されていたコンテンツが次のコンテンツに変更して表示されるが、左画面に表示されていたコンテンツは遷移前後で変化しない。図１８の例では、遷移前の右画面に表示されていたのはコンテンツＡであるから（図１８の（ａ）を参照）、遷移後にはコンテンツＢが右画面に表示され、左画面は遷移前後で変わらずコンテンツＡが表示される。
【００８０】
以上説明したとおり、本実施の形態によれば、一画面に１つのコンテンツの表示中に、例えば、観視者が右側画面に別コンテンツを表示させたい場合、まず、右用二画面ＯＮ／ＯＦＦボタン２１１Ｒを操作し、その後、右側コンテンツボタン２１２Ｒを操作する。これによって、表示部１２には、例えば図９の（ａ）に示すように、一画面に１つのコンテンツが表示された状態から、右用二画面ＯＮ／ＯＦＦボタン２１１Ｒの操作に応答して、図９（ｂ）に示すように、右側及び左側の二画面に同一コンテンツが表示される。なお、図９（ｂ）は図１８（ａ）と同様である。右側及び左側に二画面表示された状態では、右側コンテンツボタン２１２Ｒの操作に応答して、図１８の（ｂ）に示すとおり、右側画面に表示されるコンテンツが変更される。
【００８１】
上記のようにするのは下記の観点による。すなわち、右側の観視者による操作により、仮に、一画面に１つのコンテンツが表示された状態から、ダイレクトに、２つのコンテンツを二画面表示に遷移させると、右側の観視者が操作を行ったことを知らない可能性がある左側の観視者は何が起こったのか把握しづらくなり当惑する。しかしながら、上記実施の形態の画面遷移によれば、「一画面に１つのコンテンツの表示」→「同一コンテンツの両画面表示」→「異なるコンテンツの二画面表示」というように、画面の表示内容を段階的に徐々に遷移させるため、第２観視者の当惑を減らすことが可能となる。
【００８２】
図１９は、リモコン２の左用画面サイズ切替ボタン２１３Ｌを押下した場合の映像表示装置１の動作を示すフローチャートであり、図２０は、左用画面サイズ切替ボタン２１３Ｌを押下する前の状態が一画面の場合の画面遷移を示す模式図であり、図２１は、左用画面サイズ切替ボタン２１３Ｌを押下する前の状態が二画面の場合の画面遷移を示す模式図である。
【００８３】
左用画面サイズ切替ボタン２１３Ｌが観視者により押下されると、図１９に示すように、ステップＳ１９０１で、制御部１４は、現在設定されているマルチ画面モードの状態変数が一画面であるか、二画面であるかを判定する。
【００８４】
ステップＳ１９０１で一画面と判定されると、処理はステップＳ１９０２に進み、制御部１４は、一画面コンテンツの状態変数を、次のサイズを示す値に変更する。一画面の場合における次のサイズへの変更は、図２２に示すように、変更前の画面サイズがノーマルの場合はワイドに、ワイドの場合はスーパーワイドに、スーパーワイドの場合はウルトラワイドに、ウルトラワイドの場合はウルトラズームに、ウルトラズームの場合はスーパーズームに、スーパーズームの場合はズームに順次変更され、ズームの場合は、ノーマルに戻る。
【００８５】
再度図１９を参照し、ステップＳ１９０１で二画面と判定されると、処理はステップＳ１９０３に進み、制御部１４は、左画面サイズの状態変数を次のサイズを示す値に変更する。二画面の場合における次のサイズへの変更は、図２３に示すように、変更前の画面サイズがノーマルの場合はワイドに、ワイドの場合はズームに順次変更され、ズームの場合は、ノーマルに戻る。
【００８６】
図１９の処理によれば、ステップＳ１９０１で一画面と判定されると、画面遷移は、図２０に示すように、一画面のままを維持しつつ、遷移前の画面サイズから、図２２に定義される順番に従って次の画面サイズに変更される。なお、図２０の例では、遷移前の画面サイズはノーマルであるから（図２０の（ａ）を参照）、遷移後の画面サイズはワイドとなる（図２０の（ｂ）を参照）。
【００８７】
一方、ステップＳ１９０１で二画面と判定されると、画面遷移は、図２１に示すように、二画面のまま、遷移前の左画面の画面サイズは、遷移前のものから、図２３に定義された順番に従って次の画面サイズに変更される。なお、今回は左用画面サイズ切替ボタン２１３Ｌが操作されているため、右画面の画面サイズは変更されない。なお、図２１の例では、遷移前の左画面サイズはノーマルであるから（図２１の（ａ）を参照）、遷移後には左画面サイズはワイドとなる（図２１の（ｂ）を参照）。それに対し、右画面は遷移前後でノーマルのまま変化しない。
【００８８】
図２４は、リモコン２の右用画面サイズ切替ボタン２１３Ｒを押下した場合の映像表示装置１の動作を示すフローチャートであり、図２５は、右用画面サイズ切替ボタン２１３Ｒを押下する前の状態が一画面の場合の画面遷移を示す模式図であり、図２６は、右用画面サイズ切替ボタン２１３Ｒを押下する前の状態が二画面の場合の画面遷移を示す模式図である。
【００８９】
右用画面サイズ切替ボタン２１３Ｒが観視者により押下されると、図２４に示すように、ステップＳ２４０１で、制御部１４は、現在設定されているマルチ画面モードの状態変数が一画面であるか、二画面であるかを判定する。
【００９０】
ステップＳ２４０１で一画面と判定されると、処理はステップＳ２４０２に進み、制御部１４は、一画面コンテンツの状態変数を、次のサイズを示す値に変更する。一画面の場合における次のサイズへの変更は、図２２を参照して説明した通りである。
【００９１】
それに対し、図２４のステップＳ２４０１で二画面と判定されると、処理はステップＳ２４０３に進み、制御部１４は、右画面サイズの状態変数を次のサイズを示す値に変更する。二画面の場合における次のサイズへの変更は、図２３を参照して説明した通りである。
【００９２】
図２４の処理によれば、ステップＳ２４０１で一画面と判定されると、画面遷移は、図２５に示すように、一画面のままを維持しつつ、遷移前の画面サイズから、図２２に定義される順番に従って次の画面サイズに変更される。なお、図２５の例では、遷移前の画面サイズはノーマルであるから（図２５の（ａ）を参照）、遷移後の画面サイズはワイドとなる（図２５の（ｂ）を参照）。
【００９３】
一方、ステップＳ２４０１で二画面と判定されると、画面遷移は、図２６に示すように、二画面のままで、遷移前の右画面の画面サイズは遷移前のものから、図２３に定義された順番に従って次の画面サイズに変更される。なお、今回は右用画面サイズ切替ボタン２１３Ｒが操作されているため、左画面の画面サイズは変更されない。なお、図２６の例では、遷移前の右画面サイズはノーマルであるから（図２６の（ａ）を参照）、遷移後には右画面サイズはワイドとなる（図２６の（ｂ）を参照）。それに対し、左画面は遷移前後でノーマルのまま変化しない。
【００９４】
以上説明したように、本実施形態によれば、制御部１４は、一画面表示中、左用のボタン２１１Ｌ、２１２Ｌ及び２１３Ｌからの操作命令も、右用のボタン２１１Ｒ、２１２Ｒ及び２１３Ｒからの操作命令も受け付けて、各操作命令に従う指示を映像処理部１１に与える。つまり、一画面表示に対しては、複数の観視者に平等に画面操作する権利が与えられる。それに対し、二画面表示中は、左側の画面に対する指示は左用のボタン２１１Ｌ、２１２Ｌ及び２１３Ｌからの操作命令に従ってなされ、右側の画面に対する指示は右用のボタン２１１Ｒ、２１２Ｒ及び２１３Ｒからの操作命令に従ってなされる。つまり、二画面表示中には、自身に割り当てられた画面に対してのみ、観視者は画面操作する権利が与えられる。これによって、多様な観視環境に対応可能な操作を各観視者に提供可能な映像表示装置１を提供することが可能となる。
【図面の簡単な説明】
【００９５】
【図１】本発明の一実施形態に係る映像表示装置１の構成を示すブロック図
【図２】入力映像信号のアスペクト比の種類ごとに、各画面サイズで表示部１２に一画面表示した場合の見え方を示す図
【図３】入力映像信号のアスペクト比の種類ごとに、各画面サイズで表示部１２に二画面表示した場合の見え方を示す図
【図４】操作部２１の一例としてのボタン群を示す図
【図５】リモコン２の左用二画面ＯＮ／ＯＦＦボタン２１１Ｌを押下した場合の映像表示装置１の動作を示すフローチャート
【図６】左用二画面ＯＮ／ＯＦＦボタン２１１Ｌを押下する前の状態が一画面の場合の画面遷移を示す模式図
【図７】左用二画面ＯＮ／ＯＦＦボタン２１１Ｌを押下する前の状態が二画面の場合の画面遷移を示す模式図
【図８】リモコン２の右用二画面ＯＮ／ＯＦＦボタン２１１Ｒを押下した場合の映像表示装置１の動作を示すフローチャート
【図９】右用二画面ＯＮ／ＯＦＦボタン２１１Ｒを押下する前の状態が一画面の場合の画面遷移を示す図
【図１０】右用二画面ＯＮ／ＯＦＦボタン２１１Ｒが押下される前の状態が二画面の場合の画面遷移を示す模式図
【図１１】リモコン２の左用コンテンツボタン２１２Ｌを押下した場合の映像表示装置１の動作を示すフローチャート
【図１２】左用コンテンツボタン２１２Ｌを押下する前の状態が一画面の場合の画面遷移を示す模式図
【図１３】左用コンテンツボタン２１２Ｌを押下する前の状態が二画面の場合の画面遷移を示す模式図
【図１４】次の入力映像コンテンツの遷移を表すフロー図（ＯＦＦなしの場合）
【図１５】次の入力映像コンテンツの遷移を表すフロー図（ＯＦＦありの場合）
【図１６】リモコン２の右用コンテンツボタン２１２Ｒを押下した場合の映像表示装置１の動作を示すフローチャート
【図１７】右用コンテンツボタン２１２Ｒを押下する前の状態が一画面の場合の画面遷移を示す模式図
【図１８】右用コンテンツボタン２１２Ｒを押下する前の状態が二画面の場合の画面遷移を示す模式図
【図１９】リモコン２の左用画面サイズ切替ボタン２１３Ｌを押下した場合の映像表示装置１の動作を示すフローチャート
【図２０】左用画面サイズ切替ボタン２１３Ｌを押下する前の状態が一画面の場合の画面遷移を示す模式図
【図２１】左用画面サイズ切替ボタン２１３Ｌを押下する前の状態が二画面の場合の画面遷移を示す模式図
【図２２】一画面表示時の画面サイズの変更順を示す模式図
【図２３】二画面表示時の画面サイズの変更順を示す模式図
【図２４】リモコン２の右用画面サイズ切替ボタン２１３Ｒを押下した場合の映像表示装置１の動作を示すフローチャート
【図２５】右用画面サイズ切替ボタン２１３Ｒを押下する前の状態が一画面の場合の画面遷移を示す模式図
【図２６】右用画面サイズ切替ボタン２１３Ｒを押下する前の状態が二画面の場合の画面遷移を示す模式図
【符号の説明】
【００９６】
１  映像表示装置
２  リモコン
１１  映像処理部
１２  表示部
１３  受信部
１４  制御部
２１  操作部
２２  送信部
２１１Ｌ  左用二画面ＯＮ／ＯＦＦボタン
２１２Ｌ  左用コンテンツボタン
２１３Ｌ  左用画面サイズ切替ボタン
２１１Ｒ  右用二画面ＯＮ／ＯＦＦボタン
２１２Ｒ  右用コンテンツボタン
２１３Ｒ  右用画面サイズ切替ボタン
【図１】
2009017163.tif 000007
【図２】
2009017163.tif 000008
【図３】
2009017163.tif 000009
【図４】
2009017163.tif 000010
【図５】
2009017163.tif 000011
【図６】
2009017163.tif 000012
【図７】
2009017163.tif 000013
【図８】
2009017163.tif 000014
【図９】
2009017163.tif 000015
【図１０】
2009017163.tif 000016
【図１１】
2009017163.tif 000017
【図１２】
2009017163.tif 000018
【図１３】
2009017163.tif 000019
【図１４】
2009017163.tif 000020
【図１５】
2009017163.tif 000021
【図１６】
2009017163.tif 000022
【図１７】
2009017163.tif 000023
【図１８】
2009017163.tif 000024
【図１９】
2009017163.tif 000025
【図２０】
2009017163.tif 000026
【図２１】
2009017163.tif 000027
【図２２】
2009017163.tif 000028
【図２３】
2009017163.tif 000029
【図２４】
2009017163.tif 000030
【図２５】
2009017163.tif 000031
【図２６】
2009017163.tif 000032